(57)【要約】【課題】利用者が、容器内容物の放出用操作ボタンなどの誤動作を阻止するためのロック用部材を紛失してしまう、のを防ぐことを目的とする。【解決手段】周知の弁機構を備えたピストン（ステム）７と一体になっている操作ボタン１を押下げることにより、容器本体８の内容物がノズル部分１ｄから外部空間に放出される。操作ボタン１にはロック用部材４が螺子結合しており、このロック用部材を回動してその下端側の環状鍔部４ｂを容器本体８に固定されたカバー体９の上面部分に当接させると、操作ボタン１を押下げることができない操作阻止モード（ｂ）に移行する。なお、ロック用部材４を操作阻止モードよりも手前（上方）の任意の位置で止めることにより、操作ボタン１の押下げ操作時の移動ストロークを調整できる。【選択図】  図１
2007217039.tif 000002
【特許請求の範囲】
【請求項１】
ポンプ式容器やエアゾール式容器などの容器本体の内容物に対する操作部が作動モードに移行しないようにするための操作阻止用部材を備えた操作部ロック機構において、
前記操作阻止用部材は、前記操作部と螺子結合する螺子部分および容器本体側の表面部分と当接可能なストッパ部分を有し、
螺子結合した状態での前記操作部および前記操作阻止用部材の相対的な回動に基づき、当該操作阻止用部材はその前記ストッパ部分が前記表面部分に当接するまで移動して、当該操作部と当該操作阻止用部材とが当該表面部分に受け止められた状態に設定できる、
ことを特徴とする内容物収納容器の操作部ロック機構。
【請求項２】
前記操作部は、環状の垂下部を備えた押下げタイプのものであり、
前記操作阻止用部材は、前記垂下部の周面部分と螺子結合し、前記ストッパ部分としての環状鍔部を下端側に形成したものである、
ことを特徴とする請求項１記載の内容物収納容器の操作部ロック機構。
【請求項３】
請求項１または請求項２記載の放出口開閉機構を備え、かつ、内容物を収容した、
ことを特徴とするポンプ式製品。
【請求項４】
請求項１または請求項２記載の放出口開閉機構を備え、かつ、噴射用ガスおよび内容物を収容した、
ことを特徴とするエアゾール式製品。
【発明の詳細な説明】
【技術分野】
【０００１】
本発明は、ポンプ式容器やエアゾール式容器などの内容物収納容器の操作部ロック機構に関する。
【０００２】
特に内容物収納容器の操作部と螺子結合する操作阻止用部材を設け、この螺子結合部分の相対的な回動により操作阻止用部材が容器本体側の表面部分に当接するまで移動して操作部（および操作阻止用部材）を容器本体側にロックする、すなわち操作部の作動モードへの設定操作が行えないようにしたものである。
【０００３】
なお、本明細書においては「回動」の語を、１回転以下の動きおよび１回転以上の動きの双方を含む意で用いている。
【背景技術】
【０００４】
従来、内容物収納容器の操作部（押しボタンなど）がその作動モードへと不用意に移動することを阻止するための操作部ロック用部材や、当該阻止機能を備えた操作部用のキャップとしては、下記の文献で開示のものがある。
【０００５】
この操作部ロック用部材は、押しボタンと一体になって上下動する筒状部の（静止モードのとき外部空間に露出している）外周面の当該押しボタンと容器本体側の表面部分との間にいわばぴったりと嵌め込まれることにより、当該押しボタンを押圧できないようにしたものである。内容物収納容器を使用可能にするときはこの操作部ロック用部材を上記筒状部から取り外せばよい。
【０００６】
また、上記設定機能を備えた操作部用のキャップは、押しボタンの放出口側に取り付けられて当該放出口をカバーするものであって、この取付け状態のときに容器本体側の肩カバーに係止される片部を新たに設けることにより、当該押しボタンを押圧できないようにする機能が付加されている。なお、内容物収納容器の使用時にキャップが押しボタンから取り外されるのは勿論である。
【特許文献１】実開平７−５４８号公報
【特許文献２】特開平８−１１３２７８号公報
【発明の開示】
【発明が解決しようとする課題】
【０００７】
以上の操作部ロック機構はいずれも、その（操作部ロック機能を備えた）操作部ロック用部材やキャップが押しボタン（操作部）から独立した構成要素のものであり、これらのロック用部材は内容物の放出操作に先立って押しボタンから取り外されてしまう。
【０００８】
そのため、これらのロック用部材を紛失する可能性があり、仮に紛失した場合には操作部ロック機構の動作が担保されないことになり、この点で当該ロック機構は改善の余地を残していた。
【０００９】
そこで本発明では、操作部とその操作阻止用部材（ロック用部材）とを螺子結合する態様で設け、この螺子結合部分の回動により操作阻止用部材を容器本体側の表面部分に当接するまで移動させて、操作部を操作阻止用部材と螺子結合したままで容器本体側にロックし、このロック状態を解除する際はこの螺子結合部分をロック操作のときとは逆方向に回動するようにして、操作阻止用部材を紛失するおそれがなく、より高い利便性を期待できる操作部ロック機構を提供することを目的とする。
【課題を解決するための手段】
【００１０】
本発明は、以上の課題を次のようにして解決する。
（１）ポンプ式容器やエアゾール式容器などの容器本体（例えば後述の容器本体８）の内容物に対する操作部（例えば後述の操作ボタン１，２，３）が作動モードに移行しないようにするための操作阻止用部材（例えば後述のロック用部材４，５，６）を備えた操作部ロック機構において、
前記操作阻止用部材は、前記操作部と螺子結合する螺子部分（例えば後述の操作ボタン１，２，３の谷部１ｃ，２ｃ,山部３ｃおよびロック用部材４，５，６の山部４ａ,５ａ,谷部６ａ）および容器本体側の表面部分（例えば後述のカバー体９の上面部分９ａ）と当接可能なストッパ部分（例えば後述の環状鍔部４ｂ，５ｂ，６ｂ）を有し、
螺子結合した状態での前記操作部および前記操作阻止用部材の相対的な回動に基づき、当該操作阻止用部材はその前記ストッパ部分が前記表面部分に当接するまで移動して、当該操作部と当該操作阻止用部材とが当該表面部分に受け止められた状態に設定できる、
ように構成する。
（２）上記（１）において、
前記操作部は、環状の垂下部（例えば後述の環状の外側垂下部１ｂ，２ｂや環状の内側垂下部３ａ）を備えた押下げタイプのものとし、
前記操作阻止用部材は、前記垂下部の周面部分と螺子結合し、前記ストッパ部分としての環状鍔部（例えば後述の環状鍔部４ｂ，５ｂ，６ｂ）を下端側に形成したものとする。
【００１１】
本発明は、以上の特徴を持つ操作部ロック機構を対象とするとともに、この操作部ロック機構を備えたポンプ式製品やエアゾール式製品も対象にしている。
【発明の効果】
【００１２】
本発明はこのように、ポンプ式製品やエアゾール式製品の操作部ロック機構を、操作部（例えば環状の垂下部を備えた押下げタイプのもの）と螺子結合したまま、操作部のロック状態（操作阻止状態）と操作可能状態との間を移動できる操作阻止用部材（例えば当該垂下部の周面部分と螺子結合し、容器本体側とのストッパ部分として環状鍔部を下端側に形成したもの）により構成し内容物の放出操作のときにも操作阻止用部材は操作部と一体化されているので、操作阻止用部材の紛失を防止し、当該製品の操作部ロック機構の使用環境の継続化を確実に図ることができる。
【００１３】
また、後述のように操作阻止用部材を、操作部の操作可能状態からロック状態に至るまでの途中の任意の位置（＝非ロック状態）に設定可能となっているので、操作部が通常の静止モードから作動モードへ移動するときのストロークを調整することができる。
【発明を実施するための最良の形態】
【００１４】
図１〜図３を用いて本発明を実施するための最良の形態を説明する。
【００１５】
なお、上述したように、本発明はポンプ式製品およびエアゾール式製品の双方を対象としているが、以下に用いる各図では便宜的にポンプ容器の場合を前提とする。
【００１６】
図１は操作阻止用部材であるロック用部材を操作ボタンの外側環状垂下部の内周面に螺子結合させたタイプの操作部ロック機構を示し、図２はロック用部材を操作ボタンの外側環状垂下部の外周面に螺子結合させたタイプの操作部ロック機構を示し、図３はロック用部材を操作ボタンの内側環状垂下部の外周面に螺子結合させたタイプの操作部ロック機構を示している。
【００１７】
また、各図の（ａ）はロック用部材を作動させていない通常の操作可能モードを示し、（ｂ）はロック用部材を作動させた操作阻止モードを示している。
【００１８】
なお、以下のアルファベット付き参照番号が示す構成要素（例えば内側垂下部１ａ）はアルファベットなしの参照番号の構成要素（例えば操作ボタン１）の一部であることを示している。
【００１９】
これらの図において、
１は押下げタイプの操作ボタン（その１：図１参照），
１ａは後述のピストン７と強く嵌合した環状の内側垂下部，
１ｂは後述のロック用部材４と螺子結合した環状の外側垂下部，
１ｃは外側垂下部１ｂの内周面に形成された螺子結合用の螺旋状の谷部，
１ｄは内容物放出用のノズル部分，
２は押下げタイプの操作ボタン（その２：図２参照），
２ａは後述のピストン７と強く嵌合した環状の内側垂下部，
２ｂは後述のロック用部材５と螺子結合した環状の外側垂下部，
２ｃは外側垂下部２ｂの外周面に形成された螺子結合用の螺旋状の谷部，
２ｄは内容物放出用のノズル部分，
３は押下げタイプの操作ボタン（その３：図３参照），
３ａは後述のピストン７と強く嵌合し、かつ後述のロック用部材６と螺子結合した環状の内側垂下部，
３ｂは環状の外側垂下部，
３ｃは内側垂下部３ａの外周面に形成された螺子結合用の螺旋状の山部，
３ｄは内容物放出用のノズル部分，
４は操作ボタン１と螺子結合した筒状のロック用部材，
４ａは谷部１ｃに対応する態様で外周面に形成された螺旋状の山部，
４ｂは後述のカバー体９と当接可能な態様で外向きに形成された環状鍔部，
５は操作ボタン２と螺子結合した筒状のロック用部材，
５ａは谷部２ｃに対応する態様で内周面に形成された螺旋状の山部，
５ｂは後述のカバー体９と当接可能な態様で内向きに形成された環状鍔部，
６は操作ボタン３と螺子結合した筒状のロック用部材，
６ａは山部３ｃに対応する態様で内周面に形成された螺旋状の谷部，
６ｂは後述のカバー体９と当接可能な態様で外向きに形成された環状鍔部，
７は各操作ボタンの内側垂下部１ａ，２ａ，３ａと強く嵌合して当該操作ボタンと連動し、内容物通過域としての内部空間を備えたピストン（ステム），
８は後述の各種内容物を収納した容器本体，
９は容器本体８の開口部に取り付けられて自らの中央開口部分をピストン７が上下方向に移動するカバー体，
９ａは操作阻止モードにおける環状鍔部４ｂ，５ｂ，６ｂが当接する環状の上面部分，
をそれぞれ示している。
【００２０】
ここで、操作ボタン１〜３およびロック用部材４〜６以外の構成要素はいずれも汎用されているものであり、ピストン７やハウジング（図示省略）の部分などに周知のポンプ機構やバルブ機構が設けられている。
【００２１】
なお、操作ボタン１〜３，ロック用部材４〜６，ピストン７，容器本体８およびカバー体の材質は、ナイロン，ポリアセタール，ポリエチレン，ポリプロピレン，ポリエチレンテレフタレート，ポリブチレンテレフタレート，ＮＢＲ，ネオプレン，ブチルゴムなどである。
【００２２】
操作ボタン１〜３は、それぞれの谷部１ｃ，２ｃ,山部３ｃがロック用部材４〜６の山部４ａ,５ａ,谷部６ａと螺子結合している。
【００２３】
図１〜図３の各（ａ）の操作可能モードにおいては、図示のようにロック用部材４〜６が操作ボタン１〜３に対し上動した位置にある。
【００２４】
すなわち操作ボタン１〜３がまだ押下げられていない、いわゆる通常の静止モードでは、ロック用部材４〜６の各環状鍔部４ｂ,５ｂ,６ｂがカバー体９の上面部分９ａから離れた位置にあり、利用者は、当該操作ボタンを押下げてポンプ式製品・エアゾール式製品の通常の作動モードに移行させることができる。
【００２５】
一方、図１〜図３の各(ｂ)の操作不能モードにおいては、図示のようにロック用部材４〜６を操作ボタン１〜３に対し下動させてそれぞれの環状鍔部４ｂ，５ｂ，６ｂの底面部分がカバー体９の上面部分に当接した状態になっている。
【００２６】
そのため、操作ボタン１〜３およびこれと螺子結合しているロック用部材４〜６の一体物がカバー体９にロックされ、当該操作ボタンを押下げることは出来ない。
【００２７】
このロック作用により、操作ボタン１〜３が不用意に押下げられて容器の内容物がピストン７やノズル部分１ｄ，２ｄ，３ｄなどを経て外部空間に放出されるという、誤動作を防止することができる。
【００２８】
この誤動作防止機能を使用する状況としては、ポンプ式製品・エアゾール式製品を例えば出荷・運送するとき，店頭に陳列するとき，家庭などで子供が間違って使うのを避けたいときなどの各種のケースがある。
【００２９】
図１〜図３の各操作部ロック機構の違いは、
(1)図１の場合、操作ボタン１の外側垂下部１ｂの内周面とロック用部材４の外周面とが螺子結合し、ロック用部材４の環状鍔部４ｂは外向きに形成され、
(2)図２の場合、操作ボタン２の外側垂下部２ｂの外周面とロック用部材５の内周面とが螺子結合し、ロック用部材５の環状鍔部５ｂは内向きに形成され、
(3)図３の場合、操作ボタン３の内側垂下部３ａの外周面とロック用部材６の内周面とが螺子結合し、ロック用部材６の環状鍔部６ｂは外向きに形成されている、
ことである。
【００３０】
いずれも各操作ボタン１〜３のロック機構としての作用は同じである。外観を比べると、図３のロック機構は、操作阻止モード（ｂ）においてもその螺子部分が利用者側から一切みえない態様になっている。
【００３１】
なお、以上のロック機構においてはロック用部材４〜６を、押しボタン１〜３に対し、それぞれの操作可能モードと操作阻止モードとの間の任意の位置まで移動させてそこに設定する、といった使い方もできる。すなわち押しボタン１〜３の静止モードから作動モードへの移動ストロークを任意に調整することが可能である。
【００３２】
本発明は、以上述べた押しボタンタイプの操作部に限定されるのではなく、チルトタイプやレバータイプなどの各種操作部にも適用可能である。
【００３３】
容器内容物の対象としては、液状，発泡性（泡状），ペースト状，ジェル状，粉状などの各種性状のものがある。
【００３４】
本発明が適用されるエアゾール式製品やポンプ式製品としては、洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【００３５】
容器本体に収納する内容物は、例えば、粉状物，油成分，アルコール類，界面活性剤，高分子化合物，各用途に応じた有効成分などである。
【００３６】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００３７】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００３８】
アルコール類としては、エタノールなどの１価の低級アルコール，ラウリルアルコールなどの１価の高級アルコール，エチレングリコールなどの多価アルコールなどを用いる。
【００３９】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００４０】
高分子化合物としては、メチルセルロース，ゼラチン，デンプン，カゼインなどを用いる。
【００４１】
各用途に応じた有効成分としては、サリチル酸メチル，インドメタシンなどの消炎鎮痛剤、安息香酸ナトリウム，クレゾールなどの除菌剤、ヒレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００４２】
さらに、上記内容物以外の、懸濁剤，紫外線吸収剤，乳化剤，保湿剤，酸化防止剤、金属イオン封鎖剤なども用いることができる。
【００４３】
エアゾール式製品における内容物放出用ガスとしては、炭酸ガス，窒素ガス，圧縮空気，酸素ガス，希ガス，これらの混合ガスなどの圧縮ガスや、液化石油ガス，ジメチルエーテル，フロロカーボンなどの液化ガスを用いる。
【図面の簡単な説明】
【００４４】
【図１】本発明の、操作阻止用部材であるロック用部材を操作ボタンの外側環状垂下部の内周面に螺子結合させたタイプの操作部ロック機構を示す説明図である。（ａ）はロック用部材を作動させていない通常の操作可能モードを示し、（ｂ）はロック用部材を作動させた操作阻止モードを示している。
【図２】本発明の、ロック用部材を操作ボタンの外側環状垂下部の外周面に螺子結合させたタイプの操作部ロック機構を示す説明図である。（ａ）は通常の操作可能モードを示し、（ｂ）は操作阻止モードを示している。
【図３】本発明の、ロック用部材を操作ボタンの内側環状垂下部の外周面に螺子結合させたタイプの操作部ロック機構を示している。（ａ）は通常の操作可能モードを示し、（ｂ）は操作阻止モードを示している。
【符号の説明】
【００４５】
１：押下げタイプの操作ボタン（その１：図１参照）
１ａ：環状の内側垂下部
１ｂ：外側垂下部
１ｃ：螺子結合用の螺旋状の谷部
１ｄ：ノズル部分
２：押下げタイプの操作ボタン（その２：図２参照）
２ａ：環状の内側垂下部
２ｂ：環状の外側垂下部
２ｃ：螺子結合用の螺旋状の谷部
２ｄ：ノズル部分
３：押下げタイプの操作ボタン（その３：図３参照）
３ａ：環状の内側垂下部
３ｂ：環状の外側垂下部
３ｃ：螺子結合用の螺旋状の山部
３ｄ：ノズル部分
４：操作ボタン１と螺子結合した筒状のロック用部材
４ａ：谷部１ｃに対応する螺旋状の山部
４ｂ：環状鍔部
５：操作ボタン２と螺子結合した筒状のロック用部材
５ａ：谷部２ｃに対応する螺旋状の山部
５ｂ：環状鍔部
６：操作ボタン３と螺子結合した筒状のロック用部材
６ａ：山部３ｃに対応する螺旋状の谷部
６ｂ：環状鍔部
７：ピストン（ステム）
８：容器本体
９：カバー体
９ａ：環状の上面部分
【図１】
2007217039.tif 000003
【図２】
2007217039.tif 000004
【図３】
2007217039.tif 000005